(57)【要約】      （修正有）【課題】ポンピング動作後に、圧送された媒体が僅かな量だけしかポンプ内に残っていないダイヤフラムポンプの提供。【解決手段】少なくとも１つのポンプ室を備えたダイヤフラムポンプであって、ポンプ室は、流入弁を介して流入室に接続されていて、かつ流出弁を介して流出室に接続されており、流入弁は、流入弁体によって閉鎖可能な流入開口を有しており、流出弁は、流出弁体によって閉鎖可能な流出開口を有しており、流出開口が流入開口を取り囲んでいるか、または流入開口が流出開口を取り囲んでいる。【選択図】図１
2018084233.tif 000002
【特許請求の範囲】
【請求項１】
少なくとも１つのポンプ室（１８）を備えたダイヤフラムポンプ（１）であって、前記ポンプ室（１８）は、流入弁（２２）を介して流入室（１１）に接続されていて、かつ流出弁（２４）を介して流出室（１３）に接続されており、前記流入弁（２２）は、流入弁体によって閉鎖可能な流入開口を有しており、かつ前記流出弁（２４）は、流出弁体によって閉鎖可能な流出開口を有している、ダイヤフラムポンプにおいて、
前記流出開口は前記流入開口を取り囲んでいる、または
前記流入開口は前記流出開口を取り囲んでいる
ことを特徴とする、ダイヤフラムポンプ。
【請求項２】
前記流出弁の前記流出開口は、互いに隔てられた少なくとも２つの流出開口部分（２３ａ）によって形成されており、該流出開口部分（２３ａ）は、前記入口開口を取り囲んでいる、請求項１記載のダイヤフラムポンプ。
【請求項３】
前記流入弁の前記流入開口は、互いに隔てられた少なくとも２つの流入開口部分によって形成されており、該流入開口部分は、流出開口を取り囲んでいる、請求項１記載のダイヤフラムポンプ。
【請求項４】
前記流入室（１１）および前記流出室（１３）は、１つの共通の中心軸線の周りに形成されている、請求項１から３までのいずれか１項記載のダイヤフラムポンプ。
【請求項５】
前記流入室（１１）は、その鉛直方向下側の領域に壁を有しており、前記壁は、該壁が少なくとも１つの前記流入弁（２２）の前記流入開口の下側部分と同一平面を成すように形成されている、請求項１から４までのいずれか１項記載のダイヤフラムポンプ。
【請求項６】
前記流出室（１３）は、その鉛直方向下側の領域に壁を有しており、前記壁は、該壁が少なくとも１つの前記流出弁（２４）の前記流出開口の下側部分と同一平面を成すように形成されている、請求項１から５までのいずれか１項記載のダイヤフラムポンプ。
【請求項７】
複数のポンプ室（１８）が設けられており、該ポンプ室（１８）のそれぞれに、少なくとも１つの前記流入弁（２２）および少なくとも１つの前記流出弁（２４）が設けられている、請求項１から６までのいずれか１項記載のダイヤフラムポンプ。
【請求項８】
前記ポンプ室（１８）は、弁プレート（５）の一部として形成されており、前記弁プレート（５）は、複数の前記流出弁（２４）を有している、請求項１から７までのいずれか１項記載のダイヤフラムポンプ。
【請求項９】
前記弁プレート（５）は、前記ポンプ室（１８）の数に相当する数の前記流出弁（２４）を有している、請求項８記載のダイヤフラムポンプ。
【請求項１０】
前記ダイヤフラムポンプの、前記流入室（１１）および前記流出室（１３）を有する部分と、ポンプダイヤフラム（７）を支持するダイヤフラム支持体（６）との間に、前記ポンプ室（１８）と前記流入弁（２２）および前記流出弁（２４）とを有する弁プレート（５）が配置されている、請求項８または９記載のダイヤフラムポンプ。
【請求項１１】
前記流入室（１１）と前記ポンプ室（１８）との間に流入通路（１６）が設けられており、前記ポンプ室（１８）に対応配置された流入弁（２２）は、前記流入通路（１６）内に、または前記流入通路（１６）の始端部または終端部に配置されている、請求項８から１０までのいずれか１項記載のダイヤフラムポンプ。
【請求項１２】
前記流出室と前記ポンプ室との間に流出通路が設けられており、前記ポンプ室に対応配置された流出弁は、前記流出通路内に、または前記流出通路の始端部または終端部に配置されている、請求項８から１１までのいずれか１項記載のダイヤフラムポンプ。
【請求項１３】
４つの前記ポンプ室（１８）が設けられており、前記弁プレート（５）には、少なくとも４つの前記流出弁（２４）と少なくとも４つの前記流入弁（２２）とが配置されている、請求項８から１１までのいずれか１項記載のダイヤフラムポンプ。
【請求項１４】
請求項１から１３までのいずれか１項記載のダイヤフラムポンプを備えた、流体を圧送する装置であって、ポンプヘッド（２）が、駆動室および駆動装置を備えており、前記ポンプ室は、ポンプダイヤフラム（７）を用いて前記駆動室（２９）に対してシールされていることを特徴とする、流体を圧送する装置。
【請求項１５】
前記ポンプダイヤフラム（７）は、対応配置されたポンプエレメント（６）を介して、周期的に軸方向においてポンピング運動することができる、請求項１４記載の装置。
【発明の詳細な説明】
【技術分野】
【０００１】
本発明は、ポンプ室を備えており、このポンプ室が、流入通路を介して流入室に接続されていて、かつ流出通路を介して流出室に接続されている、ダイヤフラムポンプに関する。
【背景技術】
【０００２】
独国特許出願公開第１０１１７５３１号明細書および独国実用新案第２０２００６０２０２３７号明細書に基づいて公知のダイヤフラムポンプは、主として駆動装置に結合されたポンプヘッドを有している。ポンプヘッドは、複数の、例えば４つのポンプ室を有しており、これらのポンプ室はそれぞれ、ポンプダイヤフラムを用いて駆動室に対してシールされている。各ポンプダイヤフラムは、対応配置されたポンプエレメントを介して、駆動室内に配置された回転斜板に結合されている。このとき回転斜板の揺動運動によって、ポンプダイヤフラムは、周期的に軸方向に揺動してポンピング運動させられる。回転斜板は、駆動装置に結合された駆動軸の駆動ジャーナルにセットされている。駆動ジャーナルは、駆動軸の長手方向軸線に対して傾けられていて、玉軸受を介して回転斜板に結合されている。独国特許出願公開第１０１１７５３１号明細書および独国実用新案第２０２００６０２０２３７号明細書に記載されたダイヤフラムポンプでは、流出室は中心に配置されており、流入室は、流出室に対して同心的に流出室の周りに配置されている。
【０００３】
独国特許発明第１０２００８０３５５９２号明細書に基づいて公知のダイヤフラムポンプでは、流入室は中央に配置されており、流出室は流入室に対して同心的に配置されている。流出室は、その鉛直方向下側の領域に流出通路を有しており、これらの室を有する中間プレート部分と、ポンプダイヤフラムを支持するダイヤフラム支持部分との間に、ポンプ室および弁を有する弁プレートが配置されており、中間プレート部分の流入室には、弁プレートの段部内において、流入弁を有する流入弁プレートがポンプ室に向かって前置されている。
【０００４】
このようなポンプは、特に化学、薬学および生物工学の分野において使用され、これらの分野において、圧送すべき媒体は、時々極めて高価であるので、ポンピング動作後に、圧送された媒体の残留量が、可能な限りまったくまたは僅かな残留量だけしかダイヤフラムポンプ内に残っていないことが望ましい。さらに、気泡の侵入なしに、このようなダイヤフラムポンプを流体によって完全に満たすことが、圧送出力のための有利である。
【０００５】
独国特許出願公開第１０１１７５３１号明細書および独国実用新案第２０２００６０２０２３７号明細書に基づいて公知の、基本的には良好であることが実証されているダイヤフラムポンプにおける欠点としては次のことがある。すなわち、これらのダイヤフラムポンプは中央の流入室を有しており、この流入室は、流入室に対して実質的に同心的に配置された外側に位置している流出室に基づいて、ポンピング動作の終了後に、圧送された媒体の比較的多くの残留量が流入室内に残っているという事態を生じさせる。さらに、多くの場合空気がポンプの上側のポンプ室内に残っており、この空気は、通常、圧送安定性（脈動）およびポンプ出力に対して不都合に作用する。独国特許発明第１０２００８０３５５９２号明細書に基づいて公知のダイヤフラムポンプにおける欠点としては、少なくともダイヤフラムポンプの上側のポンプ室内に空気が残っているということがある。
【発明の概要】
【発明が解決しようとする課題】
【０００６】
ゆえに、本発明の課題は、公知のダイヤフラムポンプを、ポンプ室の残留物排出（Restentleerung）および／または脱気に関して改善することである。
【課題を解決するための手段】
【０００７】
この課題は、請求項１の対象によって解決される。有利な実施形態は、従属請求項および以下の記載において開示されている。
【０００８】
本発明は、流出弁の流出開口が流入弁の流入開口を取り囲んでいるか、または流入開口が流出開口を取り囲んでいるという基本思想から出発している。流出弁開口が流入弁開口を取り囲んでいることによって、流出弁開口の、流入弁開口の上に設けられた部分を通して、場合によってはポンプ室内に存在する空気が、ポンプ室から流出室内に流入することができ、従来技術の幾つかのダイヤフラムポンプにおけるように、ポンプ室の上側領域においては捕捉されない。流出弁開口が流入弁開口を取り囲んでいることによって、さらに、ポンプ室の下側領域に位置しているポンピングされる流体も、流出開口の、流入開口の下に設けられた領域を通って、流出室内に流入することができ、ひいては良好な残留物排出を達成することができる。本発明に係るダイヤフラムポンプでは、これによって、ダイヤフラムポンプが特に自動的に十分に排出および／または脱気されるという可能性が得られる。さらに、改善された流れ分配の他に、小さな構造寸法が可能になり、このような構造寸法は、ダイヤフラムポンプにおいて圧送することができる流体の量を有意に減じることを可能にする。さらに、流出室と流入室とを同心的に配置し得ることが可能になる。好適な実施形態において下側領域に配置された流出通路と一緒に、いまや流入室および流出室を事実上完全に空にすることができる。
【０００９】
本発明によれば、ダイヤフラムポンプは、１つのポンプ室、有利には２つ、特に好ましくは、３つ、４つ、またはそれ以上のポンプ室を有している。これらのポンプ室は、特に好ましくは、サイクルで、特に周期的に、外力によってその容積を変化させることができる。特に好ましくは、室容積の少なくとも１つの壁が、ダイヤフラムによって形成され、このダイヤフラムは、好ましくは弾性材料、例えばプラスチック、ゴム、エラストマ、シリコンまたは等価の材料である弾性材料から製造されており、このような弾性材料は、特に、安定性および耐用寿命を高めるために複合材料をも含むことができる。ポンプ室は、ダイヤフラムによって形成された壁が、ポンプ室を形成するために設けられた室を完全に押し潰すことができるように構成されている場合には、ポンプ室の提供可能な最大容積に関して、この最大容積がポンプ一行程において圧送可能な流体容量に正確に相当するように寸法設定されていてよい。しかしながらまた、例えば流れ特性、ダイヤフラムポンプの効率または製造コストを改善する大幅に大きなポンプ室も可能である。
【００１０】
ポンプ室は、少なくとも１つの流入弁と少なくとも１つの流出弁とを有している。流入弁は、流入弁体によって閉鎖可能な流入開口を有しており、かつ流出弁は、流出弁体によって閉鎖可能な流出開口を有している。それぞれの弁体は、特に弾性のダイヤフラムによって形成されてよく、このダイヤフラムは、通常、弁体に対応配置された弁開口を、適宜な圧力差が存在する場合に、少なくとも部分的に開放する。弁体のための材料としては、例えば、金属も可能であるが、しかしながら特にまた、プラスチック、ゴム、エラストマ、シリコン、または特に複合材料をも含む等価の材料が可能である。逆向きの方向において圧力差が存在する場合には、弁体は弁開口を閉鎖し、かつ／またはばねエレメントが設けられており、このばねエレメントは、弁体に作用し、かつこの弁体に、弁体が弁開口を閉鎖する閉鎖位置の外側の位置において、閉鎖位置へと予荷重をかける。ダイヤフラムというのは、ここでは特に、好ましくは平らなプレートを意味しており、このプレートは多くの場合、たとえ部分的にでも、例えばフレキシブルな縁部部分によって、弾性特性および／またはばね特性を有している。さらに弁制御装置は、弁の開閉を制御すること、またはポンピング動作の最適化に影響を及ぼすことができる。
【００１１】
本発明によれば、流出開口が流入開口を取り囲んでいるか、または流入開口が流出開口を取り囲んでいる。これによって本発明は、流入開口と流出開口とが互いに並んで、例えば互いに上下に配置されている、従来技術に基づいて公知の解決策とは異なっている。
【００１２】
特に好ましくは、流入弁および／または流出弁は、傘形弁である。傘形弁というのは、弁体が傘状部材によって形成される弁のことを意味する。
【００１３】
流入室は、流体を準備するために機能する。流入開口は、流入室の壁に直接形成されていてよい。これによって、特にさらに好適な実施形態において流入開口がポンプ室内に直接開放する場合、ダイヤフラムポンプのコンパクトな構造が可能になる。しかしながら、好適な実施形態では、流入室とポンプ室との間に、流入室をポンプ室に接続する流入通路が設けられている。これによって、ダイヤフラムポンプの内部における流入室の位置を、ポンプ室に対して比較的自由に形成するという可能性が得られる。
【００１４】
流出室は、特に複数のポンプ室および／または流出弁が設けられている場合に、特にダイヤフラムポンプの１つの中央の流出部にさらに導くために、圧送された流体を集めかつ束ねるために役立つ。流出開口は、流出室の壁に直接形成されていてよい。これによって、特にさらなる好適な実施形態において流出開口が直接ポンプ室内に開放する場合に、ダイヤフラムポンプのコンパクトな構造が可能になる。しかしながら、好適な実施形態では、流出室とポンプ室との間に、流出室をポンプ室に接続する流出通路が設けられている。これによって、ダイヤフラムポンプ内における流出室の位置を、ポンプ室に対して比較的自由に形成するという可能性が得られる。
【００１５】
流出開口が流入開口を取り囲んでいる、本発明の代替的な態様では、流出開口がただ１つのリング形状に形成された開口によって形成される、好適な実施形態が可能である。「リング形状（ringfoermig）」というのは、開口が取り囲む中心点を起点として、それぞれの半径方向に開口の一部分が設けられているということを意味する。「リング形状」という概念は、円形リング形状（kreisringfoermig）の開口の記載に制限されるものではない。開口を形成する自由空間の形状は、特に、自由空間を画定する壁の形状によって確定される。円形リング形状の開口では、開口は例えば、第１の円形リング形状の壁と、第１の円形リング形状の壁に向かい合って位置するように配置された第２の円形リング形状の壁とによって画定される。このとき、開口を形成する自由空間の形状が、開口が取り囲む中心点から半径方向で見て外側の壁と、内側の壁とによって画定されることを、認識することができる。好適な実施形態では、外側の壁および内側の壁は、等しい幾何学形状を有している。特に好ましくは、内側の壁と外側の壁とは互いに同心的に形成されている。例えば外側の壁および内側の壁は、円形、楕円形、方形、特に正方形、または三角形の壁である。特に好ましくは、流出開口の周方向における各箇所において、内側の壁と外側の壁との間における間隔は等しいままである。このことは特に、外側の壁および内側の壁が等しい幾何学形状を有している場合に提供される。しかしながらまた、別の可能な実施形態では、流出開口の周方向における各箇所において、内側の壁と外側の壁との間における間隔は等しいままではない。このような場合には、内側の壁と外側の壁との間における間隔を、流出開口の上側領域および／または下側領域において、側部領域におけるよりも大きく選択するという利点を提供することができ、これによって、流出開口を貫流する流体に、特に上側領域および／または下側領域において特に大きな空間を提供することができる。このことは特に、好適な実施形態において、外側の壁と内側の壁とが等しい幾何学形状を有していないか、または等しい幾何学形状を有しているが、互いに同心的に形成されていない形態によって得ることができる。
【００１６】
流出開口が流入開口を取り囲んでいる、本発明の代替的な態様では、好適な実施形態において、流出弁の流出開口は、少なくとも２つの互いに隔てられた流出開口部分によって形成され、これらの流出開口部分は、流入開口を取り囲んでいる。したがって「流出開口」という概念は、本発明の枠内においては、ただ１つの開口のことだけを意味しているのではなく、その代わりに、互いに画定されている複数の個別開口の集合に対しても使用される。好適な実施形態によれば、流出開口は複数の流出開口部分に分けられている。流出開口部分は、特に好ましくはリング状に流入開口の周りに配置されている。例えば流出開口は、流入開口の上における円弧形状の流出開口部分によって形成され、かつ／または流入開口の下における円弧形状の流出開口部分によって形成されることができ、これに対して、特に好適な実施形態では、流入開口の側方には、流出開口部分は設けられていない。流出弁に対する流出開口部分の対応関係は、好適な実施形態では、流出開口部分が１つの共通の弁体によって閉鎖されることによって達成される。
【００１７】
好適な実施形態では、流出開口が流入開口を取り囲む、本発明の代替的な態様では、流入開口は、複数の流入開口部分に分割されていないただ１つの開口によって形成される。しかしながらまた、流入開口を複数の流入開口部分によって形成することも可能であり、このときこれらの流入開口部分は、空間的に、流出開口部分を取り囲む包絡円の内部に配置されており、例えばただ１つの円形状の流入開口の代わりに、互いに並んで配置された円形状の流入開口部分の集合を設けることも可能である。
【００１８】
流入開口が流出開口を取り囲んでいる、本発明の代替的な態様では、流入開口がただ１つのリング形状に形成された開口によって形成される、好適な実施形態が可能である。「リング形状（ringfoermig）」というのは、開口が取り囲む中心点を起点として、それぞれの半径方向に開口の一部分が設けられているということを意味する。「リング形状」という概念は、円形リング形状（kreisringfoermig）の開口の記載に制限されるものではない。開口を形成する自由空間の形状は、特に、自由空間を画定する壁の形状によって確定される。円形リング形状の開口では、開口は例えば、第１の円形リング形状の壁と、第１の円形リング形状の壁に向かい合って位置するように配置された第２の円形リング形状の壁とによって画定される。このとき、開口を形成する自由空間の形状が、開口が取り囲む中心点から半径方向で見て外側の壁と、内側の壁とによって画定されることを、認識することができる。好適な実施形態では、外側の壁および内側の壁は、等しい幾何学形状を有している。特に好ましくは、内側の壁と外側の壁とは互いに同心的に形成されている。例えば外側の壁および内側の壁は、円形、楕円形、方形、特に正方形、または三角形の壁である。特に好ましくは、流入開口の周方向における各箇所において、内側の壁と外側の壁との間における間隔は等しいままである。このことは特に、外側の壁および内側の壁が等しい幾何学形状を有している場合に提供される。しかしながらまた、別の可能な実施形態では、流入開口の周方向における各箇所において、内側の壁と外側の壁との間における間隔は等しいままではない。このような場合には、内側の壁と外側の壁との間における間隔を、流入開口の上側領域および／または下側領域において、側部領域における間隔よりも大きく選択するという利点を提供することができ、これによって、流入開口を貫流する流体に、特に上側領域および／または下側領域において特に大きな空間を提供することができる。このことは特に、好適な実施形態において外側の壁と内側の壁とが等しい幾何学形状を有していない、または等しい幾何学形状を有しているが、互いに同心的に形成されていない形態によって得ることができる。
【００１９】
流入開口が流出開口を取り囲んでいる、本発明の代替的な態様では、好適な実施形態において、流入弁の流入開口は、少なくとも２つの互いに隔てられた流入開口部分によって形成され、これらの流入開口部分は、流出開口を取り囲んでいる。したがって「流入開口」という概念は、本発明の枠内においては、ただ１つの開口のことだけを意味しているのではなく、その代わりに、互いに画定されている複数の個別開口の集合に対しても使用される。好適な実施形態によれば、流入開口は複数の流入開口部分に分けられている。流入開口部分は、特に好ましくはリング状に流出開口の周りに配置されている。例えば流入開口は、流出開口の上における円弧形状の流入開口部分によって形成され、かつ／または流出開口の下における円弧形状の流入開口部分によって形成されることができ、これに対して、特に好適な実施形態では、流出開口の側方には、流入開口部分は設けられていない。流入弁に対する流入開口部分の対応関係は、好適な実施形態では、流入開口部分が１つの共通の弁体によって閉鎖されることによって達成される。
【００２０】
好適な実施形態では、流入開口が流出開口を取り囲む、本発明の代替的な態様では、流出開口は、複数の流出開口部分に分割されていないただ１つの開口によって形成される。しかしながらまた、流出開口を複数の流出開口部分によって形成することも可能であり、このときこれらの流出開口部分は、空間的に、流入開口部分を取り囲む包絡円の内部に配置されており、例えばただ１つの円形状の流出開口の代わりに、互いに並んで配置された円形状の流出開口部分の集合を設けることも可能である。
【００２１】
別の好適な実施形態によれば、流入室および流出室は、１つの共通の中心軸線の周りに形成されている。中心軸線は、有利には、ダイヤフラムポンプの長手方向軸線によって形成される。この配置形態では、中心軸線は、特に好ましくは流入室を通ってかつ流出室を通って延びている。特に好ましくは、流入室または流出室の中央配置形態が設けられている。中央配置形態というのは、流出室または流入室が、中心軸線に位置する点を中心にして回転対称に形成されている形状を有しているか、または中心軸線に位置する点を中心にして点対称に形成されている形状を有しているか、または中心軸線を含む平面に関して鏡面対称に形成されている形状を有していることを意味しており、このとき中心軸線は、流出室の領域および／または流入室の領域を貫いて延びている。
【００２２】
代替的な実施形態では、流入室は中心軸線の周りに形成されており、中心軸線は流入室を貫いて延びており、これに対して流出室は、中心軸線の周りに形成されていて、中心軸線が流出室を貫いて延びないようになっており、流出室は例えば、リング形状に中心軸線の周りに形成されている。このことは、特に好ましくは、流出室および流入室が、中心軸線に位置する点を中心にして回転対称に形成されている形状を有しているということ、または中心軸線に位置する点を中心にして点対称に形成されている形状を有しているということ、または中心軸線を含む平面に関して、鏡面対称に形成されている形状を有していて、しかしながら中心軸線は、流入室の領域だけを貫いて延びているが、流出室の領域を貫いて延びていないということを意味する。
【００２３】
代替的な実施形態では、流出室は中心軸線の周りに形成されており、中心軸線は流出室を貫いて延びており、これに対して流入室は、中心軸線の周りに形成されていて、中心軸線は流入室を貫いて延びておらず、流入室は、例えば中心軸線の周りにリング形状に形成されている。このことは、特に好ましくは、流出室および流入室が、中心軸線に位置する点を中心にして回転対称に形成されている形状を有しているということ、または中心軸線に位置する点を中心にして点対称に形成されている形状を有しているということ、または中心軸線を含む平面に関して、鏡面対称に形成されている形状を有していて、しかしながら中心軸線は、流出室の領域だけを貫いて延びているが、流入室の領域を貫いて延びていないということを意味する。
【００２４】
本発明の好適な実施形態によれば、流入室は、中心に配置された流入通路を有している。複数の流入弁を備えた実施形態において、好適な実施形態では、この中心に配置された流入通路から複数の供給通路が、個々の流入弁に分岐していてよい。このとき中心の流入通路を通して、特に、流入弁への好適な流れ分配が得られる。
【００２５】
代替的な実施形態によれば、流入室は、その鉛直方向下側の領域に壁を有しており、この壁は、壁が少なくとも１つの流入弁の流入開口の下側部分とほぼ同一平面を成すように形成されている。特に、最も低い位置にある１つまたは複数の流入弁は、そのそれぞれの流入開口のそれぞれの下側領域で、流入室の壁内に移行しており、流入室は完全に流入弁を介して空にすることができ、かつ残りの流体がポンピング動作時に流入室から流出室に圧送されるようになっている。
【００２６】
本発明の好適な実施形態によれば、流出室は、中心に配置された流出通路を有している。複数の流出弁を備えた実施形態において、好適な実施形態では、この中心に配置された流出通路に複数の供給通路が、個々の流出弁から通じていてよい。
【００２７】
代替的な実施形態によれば、流出室は、その鉛直方向下側の領域に壁を有しており、この壁は、壁が少なくとも１つの流出弁の流出開口の下側部分とほぼ同一平面を成すように形成されている。特に、最も低い位置にある１つまたは複数の流出弁は、そのそれぞれの流出開口のそれぞれの下側領域で、流出室の壁内に移行していて、流出室は完全に流出弁を介して空にすることができ、かつ残りの流体がポンピング動作時に流入室から流出室に圧送されるようになっている。
【００２８】
好適な実施形態では、複数のポンプ室が設けられており、ポンプ室のそれぞれに、有利には少なくとも１つの流入弁および／または少なくとも１つの流出弁が設けられている。
【００２９】
好適な実施形態において、ダイヤフラムポンプのすべての流出弁は、互いに同じ形式で形成されており、特に好ましくは流出開口の同じ形状および／または弁体の同じ形状を有している。好適な実施形態において、ダイヤフラムポンプのすべての流入弁は、互いに同じ形式で形成されており、特に好ましくは流入開口の同じ形状および／または弁体の同じ形状を有している。
【００３０】
本発明の好適な実施形態によれば、各ポンプ室に１つの流入弁が設けられている。好適な実施形態では、流入弁プレートが設けられており、この流入弁プレートに、複数の流入弁が互いに空間的に隔てられて配置されている。特に好適な実施形態では、ダイヤフラムポンプは４つのポンプ室を有している。この場合、好適な実施形態では、流入弁プレートは、空間的に隔てられた４つの流入弁を有している。
【００３１】
本発明の好適な実施形態によれば、各ポンプ室に１つの流出弁が設けられている。好適な実施形態では、流出弁プレートが設けられており、この流出弁プレートに、複数の流出弁が互いに空間的に隔てられて配置されている。特に好適な実施形態では、ダイヤフラムポンプは４つのポンプ室を有している。この場合、好適な実施形態では、流出弁プレートは、空間的に隔てられた４つの流出弁を有している。
【００３２】
好適な実施形態において、１つの弁プレートが設けられていて、弁プレートに複数の流入弁および複数の流出弁が形成されている。
【００３３】
特に好ましくは、流出弁のうちの１つの流出弁が、ポンプヘッドまたは弁プレートの鉛直方向下側の領域に、１つの流出通路に対応して配置されている。これによってダイヤフラムポンプを空にすることが、さらに好適になる。
【００３４】
本発明の別の好適な実施形態によれば、流出弁の数および流入弁の数は、ポンプ室の数に相当している。弁プレートにおける相応に４つの流出弁と流入弁プレートにおける相応に４つの流入弁とを備えた、４つのポンプ室の数が、特に好適であるということが判明している。しかしながらまた、基本的には、各ポンプ室に例えば２つの流出弁および／または流入弁が対応配置されていること、またはそれぞれさらに多くの流出弁および／または流入弁が対応配置されていることも可能である。
【００３５】
本発明の好適な実施形態によれば、流入室を有するフロントプレートおよび流出室を有する中間プレートと、ポンプダイヤフラムを支持するダイヤフラム支持体との間に、１つまたは複数のポンプ室と１つまたは複数の流出弁および１つまたは複数の流入弁とを有する弁プレートが配置されている。簡単かつ安価な製造のために、弁プレートはほぼ平らに形成されていてよい。
【００３６】
別の好適な実施形態によれば、流入室とポンプ室との間に流入通路が設けられている。特に好ましくは、ポンプ室に対応配置された流入弁は、流入通路内に、特に流入通路の始端部または終端部に配置されている。補足的にまたは代替的に、流出室とポンプ室との間に流出通路が設けられていてよい。特に好ましくは、ポンプ室に対応配置された流出弁は、流出通路内に、特に好ましくは流出通路の始端部または終端部に配置されている。
【００３７】
別の好適な実施形態によれば、本発明は、本発明に係るダイヤフラムポンプを備えた、流体を圧送する装置を含んでおり、ポンプヘッドが、駆動室および駆動装置を備えており、ポンプ室はそれぞれ、ポンプダイヤフラムを用いて駆動室に対してシールされている。好適な実施形態において、ポンプダイヤフラムを、対応配置されたポンプエレメントを介して、周期的に軸方向においてポンピング運動させることができる。
【００３８】
次に、本発明の実施形態を示す図を参照しながら本発明を詳説する。
【図面の簡単な説明】
【００３９】
【図１】本発明に係るダイヤフラムポンプ（駆動装置なし）のポンプヘッドを示す平面図、および平面図における線Ａ−Ａに沿って断面した側面図である。
【図２】弁プレートと共に図１のポンプヘッドを斜め前から見た正面図である。
【図３】図１の本発明に係るポンプヘッドのフロントプレートを示す正面図および背面図である。
【図４】図１の本発明に係るポンプヘッドの弁プレートを示す正面図および背面図である。
【図５】図１の本発明に係るポンプヘッドの中間プレートを示す正面図および背面図である。
【図６】図１に示されたダイヤフラムポンプを備えた装置を部分的に断面して示す図である。
【発明を実施するための形態】
【００４０】
図１には、ダイヤフラムポンプ１のポンプヘッド２が示されている。ダイヤフラムポンプ１は、図６に示された装置の一部を形成している。
【００４１】
ポンプヘッド２は、フロントプレート３、室ハウジングとも呼ばれる中間プレート４、弁プレート５、およびダイヤフラム支持体とも呼ばれる端部プレート６を有しており、端部プレート６は、ポンプエレメントを介して、図２には示されていない回転斜板に結合されたポンプダイヤフラム７を備えている。
【００４２】
フロントプレート３には、中央の流入部１０が設けられており、この流入部１０は、フロントプレート３に形成された流入通路１１を介して中央の流入室１２に開口している。フロントプレート３には、流出部１３が設けられており、この流出部１３は、一部がフロントプレート３にかつ一部が中間プレート４に形成された流出通路１５を介して、中間プレート４の同様に中央の流出室１４に接続されている。
【００４３】
中間プレート４と端部プレート６との間には、弁プレート５が配置されている。弁プレート５は、中間プレート４とは反対側の背側面１７に４つのポンプ室１８を有している。端部プレート６に向かって開放しているポンプ室１８は、それぞれポンプダイヤフラム７によって閉鎖または画定されている。これらのポンプダイヤフラム７は、端部プレート６と弁プレート５との間に配置されている。ポンプダイヤフラム７のリング形状の隆起部１９は、弁プレート５の、ポンプ室１８の周りに配置された溝２０内に配置されている。
【００４４】
中間プレート４は、フロントプレート３の流入室１２を閉鎖しているが、しかしながらそれぞれ流入弁２２に通じる流入通路１６を有しており、これらの流入通路１６は、中間プレート４の流出室１４を貫いて延びている。弁プレート５は、４つの流入弁２２を有しており、これらの流入弁２２は、傘形弁（Schirmventil）として形成されていて、流入室１２を、各通路１６を介して、各流入弁２２に対応配置されたポンプ室１８に接続している。
【００４５】
弁プレート５は、さらに中間プレート４の中央の流出室１４をシールしている。弁プレート５は、ほぼ平らに形成されていて、流出室１４に対応する４つの流出弁２４を有しており、これらの流出弁２４は同様に傘形弁として形成されている。流出弁２４の流出開口は、各流出弁２４の流出開口部分２３ａによって形成され、これらの流出開口部分２３ａは、それぞれ等しいポンプ室１８に対応配置された流入弁２２の流入開口部分２３ｂを取り囲んでおり、これらの流入開口部分２３ｂは、流入弁２２の流入開口を形成している。流出開口部分２３ａは、好ましくは、流入開口部分２３ｂに直接隣接しており、各流出開口部分２３ａと流入開口部分２３ｂとは、特に隆起部または壁によって互いに隔てられている。
【００４６】
図６に示された回転斜板９は、玉軸受２５を介して駆動軸２７のジャーナル２６に結合されている。ジャーナル２６は、駆動軸２７の長手方向軸線２８に対して傾けられており、これによって回転斜板８の揺動運動を生じさせることができる。駆動軸と回転斜板８との間の結合部は、端部プレート６に前置された駆動室２９の領域に配置されている。
【００４７】
流入室１２は、中間プレート４に対して、図示の実施形態ではコードリングパッキンとして形成されたシール部材３０によってシールされている。流出室１４の外側画定部は、図示の実施形態では同様にコードリングパッキンとして形成されたシール部材３１によってシールされている。弁プレート５の流出開口２３ａは、中間プレート４の流入通路１６に向かって同様に、流出弁２４の傘状の弁体における、溝３３内に配置された隆起部３４によってシールされている。
【００４８】
駆動軸２７の長手方向軸線２８を中心にした駆動軸２７の回転によって、回転斜板８は、ジャーナル２６の傾斜に基づいて、駆動軸２７と一緒に回転することなしに、回転揺動運動する。回転斜板８の揺動運動によって、ポンプダイヤフラム７は、周期的に軸方向においてポンピング運動する。このポンピング運動によってポンプ室１８においては交互に、吸込み行程では、駆動室２９に向かっての運動によって負圧が生じ、かつ吐出行程では、フロントプレート３に向かっての運動によって正圧が生じる。
【００４９】
流入弁２２の傘形弁体がそれぞれ下流側に配置されていることに基づいて、対応配置されたポンプ室１８において負圧が発生すると、流入弁２２は自動的に開放し、かつ相応の流出弁２４は自動的に閉鎖する。ポンプ室１８における正圧時には、対応配置された流入弁２２は自動的に閉鎖し、かつ相応の流出弁２４は自動的に開放する。これによってポンプ媒体は、ポンプ室１８から流出室１４を通って流出部１３に圧送される。
【００５０】
図２には、弁プレートを備えた、図１のポンプヘッドを斜め正面から見た図が示されている。この斜視図から、フロントプレート３、中間プレート４、弁プレート５および端部プレート６といった部材の順番を認識することができる。
【００５１】
図３には、図１の本発明に係るポンプヘッドのフロントプレート３が、正面図および背面図で示されている。この図面においても、流入通路１１および流出通路１５ならびに流入室１２を明瞭に認識することができる。
【００５２】
図４には、図１の本発明に係るポンプヘッドの弁プレート５が、正面図および背面図で示されている。この図面では、特に、リング形状の流出弁２４、円弧状の流出開口２３ａ、およびポンプ室１８の孔として形成された流入開口２３ｂが、円板状に形成された流入弁２２と同様に示されている。
【図１】
2018084233.tif 000003
【図２】
2018084233.tif 000004
【図３】
2018084233.tif 000005
【図４】
2018084233.tif 000006
【図５】
2018084233.tif 000007
【図６】
2018084233.tif 000008
【外国語明細書】
2018084233.tif 000009
2018084233.tif 000010
2018084233.tif 000011
2018084233.tif 000012
2018084233.tif 000013
2018084233.tif 000014
2018084233.tif 000015
2018084233.tif 000016
2018084233.tif 000017
2018084233.tif 000018
2018084233.tif 000019
2018084233.tif 000020
2018084233.tif 000021
2018084233.tif 000022
2018084233.tif 000023
2018084233.tif 000024
2018084233.tif 000025
2018084233.tif 000026
2018084233.tif 000027
2018084233.tif 000028
2018084233.tif 000029
2018084233.tif 000030